【手続補正書】
【提出日】平成18年1月26日(2006.1.26)
【手続補正１】
【補正対象書類名】特許請求の範囲
【補正対象項目名】全文
【補正方法】変更
【補正の内容】
【特許請求の範囲】
【請求項１】
電子メールを着信するメール着信プロセスを実行する着信手段と、着信した電子メールを電子メール取り込みプロセスにより記憶する第１記憶手段と、前記メール着信プロセスで着信した電子メールに関連する情報に応じた発光パターンを予め記憶しておく第２記憶手段と、前記メール着信プロセスが電子メールを着信する際、前記電子メール取り込みプロセスがプロセス間通信により該電子メールの第１記憶手段への取り込みを行うと共に、前記メール着信プロセスがプロセス間通信により着信表示プロセスに転送することをトリガとして前記電子メールに関連する情報に応じて前記第２記憶手段に記憶されている発光パターンで発光を行う発光手段とを備えたことを特徴とする電子メール着信装置。
【請求項２】
電子メールを着信するメール着信プロセスを実行する着信手段と、着信した電子メールを電子メール取り込みプロセスにより記憶する第１記憶手段と、前記メール着信プロセスで着信した電子メールに関連する情報に応じた発光パターンを予め記憶しておく第２記憶手段と、前記メール着信プロセスが電子メールを着信する際、前記電子メール取り込みプロセスがプロセス間通信により該電子メールの第１記憶手段への取り込みを行うと共に、電子メールの通数および頭書きを着信表示プロセスに転送し、前記メール着信プロセスがプロセス間通信により着信表示プロセスに転送することをトリガとして前記電子メールに関連する情報に応じて前記第２記憶手段に記憶されている発光パターンで発光を行う発光手段とを備えたことを特徴とする電子メール着信装置。
【請求項３】
電子メールを着信するメール着信プロセスを実行する着信手段と、着信した電子メールを電子メール取り込みプロセスにより記憶する第１記憶手段と、前記メール着信プロセスで着信した電子メールに関連する情報に応じた発光色を予め記憶しておく第２記憶手段と、前記メール着信プロセスが電子メールを着信する際、前記電子メール取り込みプロセスがプロセス間通信により該電子メールの第１記憶手段への取り込みを行うと共に、前記メール着信プロセスがプロセス間通信により着信表示プロセスに転送することをトリガとして前記電子メールに関連する情報に応じて前記第２記憶手段に記憶されている発光色で発光を行う発光手段とを備えたことを特徴とする電子メール着信装置。
【請求項４】
電子メールを着信するメール着信プロセスを実行する着信手段と、着信した電子メールを電子メール取り込みプロセスにより記憶する第１記憶手段と、前記メール着信プロセスで着信した電子メールに関連する情報に応じた発光色を予め記憶しておく第２記憶手段と、前記メール着信プロセスが電子メールを着信する際、前記電子メール取り込みプロセスがプロセス間通信により該電子メールの第１記憶手段への取り込みを行うと共に、電子メールの通数および頭書きを着信表示プロセスに転送し、前記メール着信プロセスがプロセス間通信により着信表示プロセスに転送することをトリガとして前記電子メールに関連する情報に応じて前記第２記憶手段に記憶されている発光色で発光を行う発光手段とを備えたことを特徴とする電子メール着信装置。
【請求項５】
請求項３または４に記載の電子メール着信装置において、電子メールに関連する情報に応じた強弱の異なる発光色を予め前記第２記憶手段に記憶しておき、前記発光手段は、前記第２記憶手段に記憶されている強弱の異なる発光色で発光を行うことを特徴とする電子メール着信装置。
【請求項６】
請求項１乃至５のいずれか一項に記載の電子メール着信装置において、表示装置を閉じた状態で前記発光手段を発光することを特徴とする電子メール着信装置。
【請求項７】
請求項１乃至６のいずれか一項に記載の電子メール着信装置を備えた携帯情報端末。
【請求項８】
電子メールを着信するメール着信プロセスと、着信した電子メールを第１記憶手段に記憶する電子メール取り込みプロセスと、前記メール着信プロセスが電子メールを着信する際、前記電子メール取り込みプロセスがプロセス間通信により該電子メールの第１記憶手段への取り込みを行うと共に、前記メール着信プロセスがプロセス間通信により着信表示プロセスに転送することをトリガとして前記電子メールに関連する情報に応じて前記メール着信プロセスで着信した電子メールに関連する情報に応じた発光パターンを予め記憶した第２記憶手段に記憶されている発光パターンで発光を行うことを特徴とする電子メール着信方法。
【請求項９】
電子メールを着信するメール着信プロセスと、着信した電子メールを第１記憶手段に記憶する電子メール取り込みプロセスと、前記メール着信プロセスが電子メールを着信する際、前記電子メール取り込みプロセスがプロセス間通信により該電子メールの第１記憶手段への取り込みを行うと共に、前記メール着信プロセスがプロセス間通信により着信表示プロセスに転送することをトリガとして前記電子メールに関連する情報に応じて前記メール着信プロセスで着信した電子メールに関連する情報に応じた発光色を予め記憶した第２記憶手段に記憶されている発光色で発光を行うことを特徴とする電子メール着信方法。
【手続補正２】
【補正対象書類名】明細書
【補正対象項目名】発明の名称
【補正方法】変更
【補正の内容】
【発明の名称】電子メール着信装置、電子メール着信方法および携帯情報端末
【手続補正３】
【補正対象書類名】明細書
【補正対象項目名】０００１
【補正方法】変更
【補正の内容】
【０００１】
この発明は、電子メール着信装置、電子メール着信方法および電子メール着信機能を備えた携帯情報端末に関する。
【手続補正４】
【補正対象書類名】明細書
【補正対象項目名】０００５
【補正方法】変更
【補正の内容】
【０００５】
しかし、表示による電子メールの通知を知るためには、受信者はコンピュータのディスプレイ装置を見る必要があった。特に、ノートブック型コンピュータに関しては、ディスプレイ装置を閉じた状態では、電子メールの着信通知の表示を見ることができない。また、音声による通知は、ノートブック型コンピュータを携帯して移動している場合、公共の場では不快な騒音となり兼ねない。
【手続補正５】
【補正対象書類名】明細書
【補正対象項目名】００１２
【補正方法】変更
【補正の内容】
【００１２】
本発明は、上記問題点に鑑みてなされたもので、外部端末装置から着信した電子メールを受信者であるユーザーに通知する際に、ディスプレイ装置を開くことなく、電子メールの発信者を確実且つ迅速に知ることができる電子メール着信装置、電子メール着信方法および携帯情報端末を提供することを目的とする。
【手続補正６】
【補正対象書類名】明細書
【補正対象項目名】００１３
【補正方法】変更
【補正の内容】
【００１３】
上記課題を解決するために、請求項１に記載の発明は、電子メールを着信するメール着信プロセスを実行する着信手段と、着信した電子メールを電子メール取り込みプロセスにより記憶する第１記憶手段と、前記メール着信プロセスで着信した電子メールに関連する情報に応じた発光パターンを予め記憶しておく第２記憶手段と、前記メール着信プロセスが電子メールを着信する際、前記電子メール取り込みプロセスがプロセス間通信により該電子メールの第１記憶手段への取り込みを行うと共に、前記メール着信プロセスがプロセス間通信により着信表示プロセスに転送することをトリガとして前記電子メールに関連する情報に応じて前記第２記憶手段に記憶されている発光パターンで発光を行う発光手段とを備えるものである。
請求項２に記載の発明は、電子メールを着信するメール着信プロセスを実行する着信手段と、着信した電子メールを電子メール取り込みプロセスにより記憶する第１記憶手段と、前記メール着信プロセスで着信した電子メールに関連する情報に応じた発光パターンを予め記憶しておく第２記憶手段と、前記メール着信プロセスが電子メールを着信する際、前記電子メール取り込みプロセスがプロセス間通信により該電子メールの第１記憶手段への取り込みを行うと共に、電子メールの通数および頭書きを着信表示プロセスに転送し、前記メール着信プロセスがプロセス間通信により着信表示プロセスに転送することをトリガとして前記電子メールに関連する情報に応じて前記第２記憶手段に記憶されている発光パターンで発光を行う発光手段とを備えるものである。
請求項３に記載の発明は、電子メールを着信するメール着信プロセスを実行する着信手段と、着信した電子メールを電子メール取り込みプロセスにより記憶する第１記憶手段と、前記メール着信プロセスで着信した電子メールに関連する情報に応じた発光色を予め記憶しておく第２記憶手段と、前記メール着信プロセスが電子メールを着信する際、前記電子メール取り込みプロセスがプロセス間通信により該電子メールの第１記憶手段への取り込みを行うと共に、前記メール着信プロセスがプロセス間通信により着信表示プロセスに転送することをトリガとして前記電子メールに関連する情報に応じて前記第２記憶手段に記憶されている発光色で発光を行う発光手段とを備えるものである。
請求項４に記載の発明は、電子メールを着信するメール着信プロセスを実行する着信手段と、着信した電子メールを電子メール取り込みプロセスにより記憶する第１記憶手段と、前記メール着信プロセスで着信した電子メールに関連する情報に応じた発光色を予め記憶しておく第２記憶手段と、前記メール着信プロセスが電子メールを着信する際、前記電子メール取り込みプロセスがプロセス間通信により該電子メールの第１記憶手段への取り込みを行うと共に、電子メールの通数および頭書きを着信表示プロセスに転送し、前記メール着信プロセスがプロセス間通信により着信表示プロセスに転送することをトリガとして前記電子メールに関連する情報に応じて前記第２記憶手段に記憶されている発光色で発光を行う発光手段とを備えるものである。
請求項５に記載の発明は、請求項３または４に記載の発明において、電子メールに関連する情報に応じた強弱の異なる発光色を予め前記第２記憶手段に記憶しておき、前記発光手段は、前記第２記憶手段に記憶されている強弱の異なる発光色で発光を行うものである。
請求項６に記載の発明は、請求項１乃至５のいずれか一項に記載の発明において、表示装置を閉じた状態で前記発光手段を発光するものである。
請求項７に記載の発明は、請求項１乃至６のいずれか一項に記載の電子メール着信装置を備えた携帯情報端末である。
【手続補正７】
【補正対象書類名】明細書
【補正対象項目名】００１４
【補正方法】変更
【補正の内容】
【００１４】
請求項８に記載の発明は、電子メールを着信するメール着信プロセスと、着信した電子メールを第１記憶手段に記憶する電子メール取り込みプロセスと、前記メール着信プロセスが電子メールを着信する際、前記電子メール取り込みプロセスがプロセス間通信により該電子メールの第１記憶手段への取り込みを行うと共に、前記メール着信プロセスがプロセス間通信により着信表示プロセスに転送することをトリガとして前記電子メールに関連する情報に応じて前記メール着信プロセスで着信した電子メールに関連する情報に応じた発光パターンを予め記憶した第２記憶手段に記憶されている発光パターンで発光を行うものである。
請求項９に記載の発明は、電子メールを着信するメール着信プロセスと、着信した電子メールを第１記憶手段に記憶する電子メール取り込みプロセスと、前記メール着信プロセスが電子メールを着信する際、前記電子メール取り込みプロセスがプロセス間通信により該電子メールの第１記憶手段への取り込みを行うと共に、前記メール着信プロセスがプロセス間通信により着信表示プロセスに転送することをトリガとして前記電子メールに関連する情報に応じて前記メール着信プロセスで着信した電子メールに関連する情報に応じた発光色を予め記憶した第２記憶手段に記憶されている発光色で発光を行うものである。